(57)【要約】【課題】フロアポリシャーのコードをなくすことによって、床磨き作業の煩わしさと危険を回避する。【解決手段】内蔵されたＤＣ電源装置と、前記ＤＣ電源装置によって駆動されるＤＣモータと、前記ＤＣモータによって回転される回転ブラシとを設ける。【選択図】　　図１
2004129830.tif 000002
【特許請求の範囲】
【請求項１】
内蔵されたＤＣ電源装置と、前記ＤＣ電源装置によって駆動されるＤＣモータと、前記ＤＣモータによって回転される回転ブラシとを具備したことを特徴とするコードレスポリシャー。
【請求項２】
前記ＤＣ電源装置が鉛蓄電池であり、前記ＤＣモータが薄型の高トルクモータである請求項１に記載のコードレスポリシャー。
【請求項３】
前記ＤＣ電源装置として電気二重層コンデンサを使用した請求項１に記載のコードレスポリシャー。
【請求項４】
前記ＤＣ電源装置が駆動回路を介して前記ＤＣモータを駆動するようになっている請求項１に記載のコードレスポリシャー。
【請求項５】
前記ＤＣ電源装置が充電可能電池である請求項１に記載のコードレスポリシャー。
【請求項６】
光電変換素子を具備し、前記光電変換素子によって前記ＤＣ電源装置を充電するようになっている請求項５に記載のコードレスポリシャー。
【請求項７】
内蔵されたＤＣ電源装置と、前記ＤＣ電源装置に接続された駆動回路と、前記駆動回路によって駆動されるモータと、前記モータによって回転される回転ブラシとを具備したことを特徴とするコードレスポリシャー。
【発明の詳細な説明】
【０００１】
【発明の属する技術分野】
本発明は床磨き、壁掃除等に使用するポリシャーに関し、特に電源を内蔵することで電源コードをなくしたコードレスポリシャーに関するものである。
【０００２】
【従来の技術】
従来のポリシャーはＡＣ（交流）電源装置（商用電源）とＡＣモータ（駆動回路を含む）、若しくはＡＣ電源装置、整流器及びＤＣ（直流）モータ（駆動回路を含む）で構成されており、このためＡＣ電源装置をコードでコンセントに接続して使用する必要があった。
【０００３】
図８は従来のポリシャーの一例を外観図で示しており、図９はその断面構造を示している。円形ドーム状の本体フレーム１００の上部には駆動源としてのＡＣモータ１０１が設けられており、本体フレーム１００の下部には、ＡＣモータ１０１の回転軸１０１Ａにギア１１０を介して連結された回転円板１１１が設けられ、この回転円板１１１の周縁に回転ブラシ１０２がリング状に植設されている。また、本体フレーム１００には、作業者が手で持ってポリシャーを移動させる長尺状のハンドル１０３が設けられており、ハンドル１００の中途にはＡＣ１００Ｖ電源に接続するためのコード１０４が接続されている。コード１０４を介してハンドル１００の一部を通りＡＣモータ１０１に電源が供給され（若しくは駆動回路を介して）、ＡＣモータ１０１が回転することによって、ＡＣモータ１０１の回転軸に取付けられたギア１１０を介して回転円板１１１が回転し、回転ブラシ１０２も回転するようになっている。
【０００４】
このような構成において、作業者は電源スイッチ（図示せず）をＯＮしてＡＣモータ１０１を回転させ、ハンドル１０３を持って所望位置にポリシャーを移動させる。ＡＣモータ１０１の回転によって回転ブラシ１０２も回転し、これによって回転ブラシ１０２に接する床や壁等が綺麗に磨かれる。
【０００５】
【発明が解決しようとする課題】
上述のようにしてポリシャーは動作するが、床磨きの作業は一般的に広範囲にわたるため、コンセントに接続するコード１０４の長さは少なくとも３０メートル程度必要である。そのため、コード１０４の収納の点でも問題がある。
【０００６】
また、作業者はポリシャー本体に接続されたコード１０４を、常にポリシャー本体と共に引き回しながら作業しなければならず、コード１０４で接続された状態のためにコード１０４の長さの限界まで進むと、必ず元に戻らなければならない欠点がある。更に、コード１０４がポリシャーの回転ブラシ１０２に絡む危険性にさらされながら作業しなければならない問題がある。
【０００７】
本発明は上述のような事情よりなされたものであり、本発明の目的は、電源接続用のコードをなくすことによって、コードの煩わしさとそれに伴う危険を回避できるコードレスポリシャーを提供することにある。
【０００８】
【課題を解決するための手段】
本発明はコードレスポリシャーに関し、本発明の上記目的は、内蔵されたＤＣ電源装置と、前記ＤＣ電源装置によって駆動されるＤＣモータと、前記ＤＣモータによって回転される回転ブラシとを設けることによって達成される。
【０００９】
また、本発明の上記目的は、前記ＤＣ電源装置を鉛蓄電池とし、前記ＤＣモータを薄型の高トルクモータとすることにより、或いは前記ＤＣ電源装置として電気二重層コンデンサを使用することにより、或いは前記ＤＣ電源装置を充電可能電池とすることにより、或いは前記ＤＣ電源装置が駆動回路を介して前記ＤＣモータを駆動することにより、或いは光電変換素子を具備し、前記光電変換素子によって前記ＤＣ電源装置を充電することによって、より効果的に達成される。
【００１０】
【発明の実施の形態】
本発明では電源に外部接続するコードをなくし、内蔵のＤＣ電源装置でＤＣモータを駆動するようにする。ＤＣモータは薄型の高トルク出力のものが望ましいが、一般的なＤＣモータであっても良い。ＤＣモータと内蔵ＤＣ電源装置を使用することで装置全体をコードレス化することができ、作業自体のスピードアップと操作性の改善を行うことができ、作業現場間の移動も速やかにすることができる。さらに、電気二重層コンデンサや光電変換素子を使用することで充電が可能となり、電源装置自体がメンテナンスフリーであることから、コードレスポリシャーの扱いがより容易になる利点がある。
【００１１】
以下に、本発明に係るコードレスポリシャーを、図面を参照して説明する。
【００１２】
図１は本発明に係るコードレスポリシャーの実施例の外観図を示しており、カバー１は本体フレーム２にボルト・ナット、ピン等で着脱可能になっており、カバー１をはずすことでＤＣ電源装置（例えば鉛蓄電池）５やＤＣモータ４のメンテナンスを行うことができる。また、本体フレーム２の下面には、床等を磨くリング状の回転ブラシ３が設けられている。さらに、本体フレーム２には作業者が手で持って操作するためのハンドル７が取付けられており、その把手部には電源スイッチ１１が設けられている。
【００１３】
図２はカバー１をはずした状態の駆動部分の断面図を示しており、本実施例においては薄型ＤＣモータ４を駆動源として使用している。薄型ＤＣモータ４にはＤＣ電源装置５から電源接続コード６を介して電力が供給され、その供給は電源スイッチ１１でＯＮ／ＯＦＦされるスイッチ１０で制御される。薄型ＤＣモータ４の回転軸４Ａには回転円板８が取付けられており、回転円板８の周縁にリング状に回転ブラシ３が植設されている。図２では薄型ＤＣモータ４の上にＤＣ電源装置５が配置されているが、その配置関係は任意である。
【００１４】
図３はコードレスポリシャーの結線図であり、薄型ＤＣモータ４はスイッチ１０が電源スイッチ１１によってＯＮされたとき、ＤＣ電源装置５の電力によって駆動され、回転軸４Ａに取付けられている回転円板８を回転する。
【００１５】
図３ではＤＣ電源装置５が直接薄型ＤＣモータ４を駆動するようになっているが、図４に示すように駆動回路２０を介して駆動するようにしても良い。駆動回路２０を介挿すれば、薄型ＤＣモータ４の回転速度の制御も可能である。また、駆動回路２０としてインバータを用いれば、モータはＡＣモータでも駆動可能である。
【００１６】
一般的なポリシャーの重量は約２０ｋｇであり、この重量は回転ブラシに押圧力を加える効果があり、ポリシャーの機能上必要な重量である。上述のように、本発明のコードレスポリシャーは薄型ＤＣモータ４を使用することで小型薄型化し軽量化する一方で、従来のモータ重量の代わりにＤＣ電源装置５の重量で回転ブラシ３への押圧力を確保している。
【００１７】
また、上記実施例においては、モータとして薄型ＤＣモータ４を使用しているが、一般的な形状（つまり、長形円柱形状）のＤＣモータを使用する場合には、図５に示すような駆動形式とすれば小型化が可能である。即ち、同芯状に突起した内径ギア３１を有する回転円板３０を使用し、ＤＣモータ３２の回転軸に装着したギア３３と内径ギア３１とを噛合させ、これによりＤＣモータ３２の駆動で回転円板３０を回転することができる。ギア３１とギア３３との比を変えることにより、回転円板３０の回転速度を変えることができる。
【００１８】
図６は本発明の他の実施例を示しており、外部光をＤＣ電気信号に変換する光電変換素子４０をカバー１の表面に配設している。この場合の結線図は図７に示すようになっており、光電変換素子４０で光電変換された電気信号は、充電回路４１を経てＤＣ電源装置５を充電する。この実施例によれば、外部光があれば光電変換素子４０で常時電気信号が得られ、ＤＣ電源装置５を充電できるので、電源装置のメンテナンスが容易である。
【００１９】
また、電源装置として鉛蓄電池を使用することもでき、短時間で充電が可能な電気二重層コンデンサなどの利用も有効である。電気二重層コンデンサを使用した場合、急速充電が可能であること、メンテナンスフリーであること、繰返し放電に強いこと、重金属などの有害物質を含まないため環境負荷が少ないことなどの利点がある。しかし、使用したバッテリの重量によっては、回転ブラシへの押圧力を確保するために、おもりなどで重量を調節する必要がある。
【００２０】
さらに、電源装置が充電可能電池である場合には充電装置を内蔵し、商用電源を用いて電源装置を充電するようにすれば良い。この場合、充電装置を商用電源のコンセントに接続するためのコードが必要になるが、充電時にのみコードを接続すれば良い。
【００２１】
【発明の効果】
ＤＣモータとＤＣ電源装置を使用することで装置全体をコードレス化することができ、作業自体のスピードアップと操作性の改善を図ることができる。また、次々と続く作業現場間の移動も速やかにすることができる。さらに、電気二重層コンデンサを使用することで急速充電が可能となり、バッテリ自体がメンテナンスフリーであることから、コードレスポリシャーの扱いがより容易になる。
【図面の簡単な説明】
【図１】本発明に係るコードレスポリシャーの一実施例を示す外観図である。
【図２】コードレスポリシャーの駆動部分の断面図である。
【図３】コードレスポリシャーの結線図である。
【図４】コードレスポリシャーの他の結線例を示す図である。
【図５】一般的形状のモータを使用した場合の駆動方法の例を示す図である。
【図６】本発明の他の実施例を示す外観図である。
【図７】図６の実施例の結線図である。
【図８】従来のポリシャーの一例を示す外観図である。
【図９】従来のポリシャーの一例を示す断面構造図である。
【符号の説明】
１　　　　カバー
２　　　　本体フレーム
３　　　　回転ブラシ
４　　　　薄型ＤＣモータ
５　　　　ＤＣ電源装置
６　　　　電源接続用コード
７　　　　ハンドル
８　　　　回転円板
１０　　　スイッチ
１１　　　電源スイッチ
２０　　　駆動回路
１００　　本体フレーム
１０１　　ＡＣモータ
１０２　　回転ブラシ
１０３　　ハンドル
１０４　　コード
１１０　　ギア
１１１　　回転円板
【図１】
2004129830.tif 000003
【図２】
2004129830.tif 000004
【図３】
2004129830.tif 000005
【図４】
2004129830.tif 000006
【図５】
2004129830.tif 000007
【図６】
2004129830.tif 000008
【図７】
2004129830.tif 000009
【図８】
2004129830.tif 000010
【図９】
2004129830.tif 000011